(57)【特許請求の範囲】
【請求項１】
前後方向を向くベース脚と、該ベース脚に固着された支柱によって構成される家具の脚体であって、
前記ベース脚を、前記支柱に固着される前後一対の脚部材で構成し、一方の脚部材の一端側に設けた嵌合片と嵌合溝が他方の脚部材の一端側に設けた嵌合溝と嵌合片とに互いに嵌合するように、端部同士を対向させて配設し、嵌合した両脚部材の嵌合片と嵌合溝とを圧着する締結手段により締結すると共に、前記各脚部材の嵌合する前記端部の上面に前記支柱が固着され、前記脚部材には下向きに開口された開口部が形成され、該開口部から前記支柱に向けて、各脚部材にボルトをねじ込んだことを特徴とする家具の脚体。
【請求項２】
前記締結手段を第２のボルトで構成すると共に、前記両脚部材における前記嵌合片または嵌合溝の背面側を下向きに開口して前記開口部を形成したものであり、該開口部から前記第２のボルトをねじ込んで、前記開口部内に前記第２のボルトの頭部を収納した請求項１に記載の家具の脚体。
【請求項３】
前記嵌合片および前記嵌合溝の対向面同士をテーパ面とし、前記嵌合片と前記嵌合溝とに、嵌合状態で互いに連通する第２のボルト用貫通孔とネジ孔とを穿設した請求項１または２に記載の家具の脚体。
【請求項４】
前記嵌合片と嵌合溝とを圧着する第２のボルトの頭部を受ける面には、前記嵌合片および前記嵌合溝の対向面をなすテーパ面と平行なテーパ面が形成されている請求項３に記載の家具の脚体。
【発明の詳細な説明】
【技術分野】
【０００１】
本発明は、前後方向を向くベース脚と、このベース脚に固着された支柱によって構成される家具の脚体に関する。
【背景技術】
【０００２】
従来、会議等に利用されるテーブルには、天板を支持する左右一対の脚が設けられている。脚は、天板を直接支持する天板支持部と、この天板支持部を支持する２つの筒状部材を有する縦脚部から成る脚本体部と、これを支持する着脱可能な足部とから構成されている（例えば、特許文献１参照）。
【０００３】
足部は前後に、長い足要素と短い足要素を前後一対有し、両足要素の対向する互いの端部にはそれぞれ凸部と孔が併設されている。そして、一方の足要素の凸部と孔が、他方の足要素の孔と凸部に互いに嵌合して位置決めされ、さらに、足要素の両端部が連結部材を用いて締結され足部を構成した後、各足要素をそれぞれ筒状部材に螺着することで脚を構成している。
【０００４】
【特許文献１】特開２００２−１７７０５４号公報（段落００１０〜１６、図１，図４，図５）
【発明の開示】
【発明が解決しようとする課題】
【０００５】
しかしながら、特許文献１にあっては、前後の足要素はその当接端面に設けた凸部および孔による嵌合であるため、例えば、天板に上方から荷重が加えられた場合には、天板支持部および脚本体部を介して足部に大きな荷重が加わるため足要素に撓みが生じ、凸部および孔の嵌合が外れやすくなるため、両足要素を連結する連結部材を別部品として必要とした。また、支柱上方の家具構造の大きさに合わせて各足要素の長さを変更しようとしても、各足要素をそれぞれ筒状部材に取り付けているために、施工に手間が掛かる虞があった。
【０００６】
本発明は、このような問題点に着目してなされたもので、両脚部材を特殊な連結部材を介在させることなく、脚部材同士の連結強度を高めることができる家具の脚体を提供することを目的とする。
【課題を解決するための手段】
【０００７】
上記課題を解決するために、本発明の請求項１に記載の家具の脚体は、前後方向を向くベース脚と、該ベース脚に固着された支柱によって構成される家具の脚体であって、前記ベース脚を、前記支柱に固着される前後一対の脚部材で構成し、一方の脚部材の一端側に設けた嵌合片と嵌合溝が他方の脚部材の一端側に設けた嵌合溝と嵌合片とに互いに嵌合するように、端部同士を対向させて配設し、嵌合した両脚部材の嵌合片と嵌合溝とを圧着する締結手段により締結すると共に、前記各脚部材の嵌合する前記端部の上面に前記支柱が固着され、前記脚部材には下向きに開口された開口部が形成され、該開口部から前記支柱に向けて、各脚部材にボルトをねじ込んだことを特徴としている。
この特徴によれば、嵌合した両接続部の嵌合片と嵌合溝とを特殊な連結部材を介在させることなく、嵌合片と嵌合溝とを圧着する締結手段により締結するので、部品点数が少なく且つ両脚部材の圧着度を高めることができる。また脚部材の接続部の構造を対称形にした場合には、対向する嵌合片と嵌合溝との位置決めがし易く、部品の共用化によるコストの低減も図れる。更に天板上方から荷重が加わった場合には、その荷重の力が支柱を介して前後一対の脚部材に分散されるので、テーブル全体が安定して支持されるとともに、支柱上方の家具構造の大きさに合わせて脚部材の前後方向の長さを適宜変更、交換でき、その施工が容易に行える。加えてボルトの締結後にボルトの頭部を開口部内に収納することが可能なので、脚部材を床面に接地した際にボルトの頭部が床面側に向けて突出されることはなく、床面に傷を生じさせることが未然に防止される。
【０００８】
本発明の請求項２に記載の家具の脚体は、請求項１に記載の家具の脚体であって、前記締結手段を第２のボルトで構成すると共に、前記両脚部材における前記嵌合片または嵌合溝の背面側を下向きに開口して前記開口部を形成したものであり、該開口部から前記第２のボルトをねじ込んで、前記開口部内に前記第２のボルトの頭部を収納した特徴としている。
この特徴によれば、嵌合片または嵌合溝の背面側の近傍に開口部を形成したことで、嵌合片から嵌合溝に向けてまたは嵌合溝から嵌合片に向けて第２のボルトを締結する際に、この開口部を利用できるので第２のボルトの回動操作が行い易く、しかも第２のボルトの締結後に第２のボルトの頭部が開口部内に収納されるので、脚部材を床面に接地した際に第２のボルトの頭部が床面側に向けて突出されることはなく、床面に対して傷を生じさせることが未然に防止される。
【０００９】
本発明の請求項３に記載の家具の脚体は、請求項１または２に記載の家具の脚体であって、前記嵌合片および前記嵌合溝の対向面同士をテーパ面とし、前記嵌合片と前記嵌合溝とに、嵌合状態で互いに連通する第２のボルト用貫通孔とネジ孔とを穿設したことを特徴としている。
この特徴によれば、両脚部材のそれぞれの嵌合片と嵌合溝との対向面がテーパ面となっており、第２のボルトによる締結手段でそれぞれの嵌合溝に嵌合片を引き込むと、一方の嵌合片および嵌合溝のテーパ面と、他方の嵌合片および嵌合溝のテーパ面とが、互いに側面視でクロスする方向に引き込まれるので、嵌合片と嵌合溝との圧着が非常に強固なものとなる。
【００１０】
本発明の請求項４に記載の家具の脚体は、請求項３に記載の家具の脚体であって、前記嵌合片と嵌合溝とを圧着する第２のボルトの頭部を受ける面には、前記嵌合片および前記嵌合溝の対向面をなすテーパ面と平行なテーパ面が形成されていることを特徴としている。
この特徴によれば、第２のボルトの頭部を受ける面に嵌合片および嵌合溝の対向面をなすテーパ面と平行なテーパ面が形成されたことで、第２のボルトの引き込みによる嵌合片と嵌合溝との締結時に、第２のボルトの頭部を受ける面に無理な負荷を加えることなく、嵌合片と嵌合溝とに強い圧着作用を与えることができる。
【発明を実施するための最良の形態】
【００１３】
本発明の実施例を以下に説明する。
【実施例】
【００１４】
図１は、本発明の実施例における脚体を用いたテーブルの全体像を示す斜視図であり、図２は、テーブルの分解組立斜視図であり、図３（ａ）は、天板を支持するベース脚の一方の脚部材を示す底面側からの斜視図であり、図３（ｂ）は、脚部材の上面側からの斜視図であり、図４（ａ）は、前後の脚部材同士の係合前の状態を示す底面図であり、図４（ｂ）は、Ａ−Ａ線を示す側断面図であり、図４（ｃ）は、Ｂ−Ｂ線を示す側断面図であり、図５は、前後の脚部材同士をボルトで締結する連結過程を示す底面図であり、図６は、（ａ）は、前後の脚部材の連結と前後の脚部材と支柱をボルトで締結する状態を示す図５のＣ−Ｃ線の側断面図であり、図６（ｂ）は、連結された前後の脚部材に支柱が連結された状態を示す図５のＤ−Ｄ線の側断面図である。
【００１５】
以下、本実施例の説明において、図１に示されたテーブル１に対面した状態で見て、テーブル１の手前側を前方とし、テーブル１の奥行き側を後方とし、左手側を左方、右手側を右方として説明する。図１および図２に示されるように、テーブル１は、主に上面視横長矩形状に形成された天板２と、この天板２の長手方向を支持すべく前後に対向して左右方向に向けて延設された一対の連結フレーム１９，２０および天板２の左右両端側部を支持すべく左右に対向して前後方向に向く一対の支持杆９，１０から構成される左右の支持フレーム８，８から成るフレーム構造と、この支持フレーム８，８が連結される左右の支柱３，３と該支柱３，３の下部に連結され床面６０に設置された前後方向を向く一対の第１脚部材２１および第２脚部材２１’から成るベース脚５，５からなる脚体４，４と、左右の支持杆９，１０の中間位置に設けた天板を支持する一対の取付具４０，４１と、両取付具４０，４１に掛け渡されフレーム構造の補強および天板２を支持する左右長手方向に延びる連結杆３５と、から構成されている。
【００１６】
このテーブル１は、例えば企業の会議室や図書館、学校等の教室にて利用可能になっている。第１脚部材２１および第２脚部材２１’には、それぞれアジャスタ３３が設けられ、テーブル１の高さ調整を行えるようになっており、脚体４，４を床面６０に対して安定して支持できるようになっている。
【００１７】
連結フレーム１９，２０と支持杆９，１０とは、前方側に配置の左右の支持杆９，９の前端に連結フレーム１９が連結されるとともに、後方側に配置の左右の支持杆１０，１０の後端に連結フレーム２０が連結されることで、上面視横長矩形状のフレームが構成され、このフレーム構造および取付具４０，４１と連結杆３５を介して天板２が脚体４，４に支持される構成になっている。
【００１８】
尚、本実施例において、連結フレーム１９，２０および支持フレーム８、そして脚体４はアルミ合金で成型されていることから、軽量で持ち運べ易く且つ強度的にも優れているが、本発明はこれに限定されるものではなく、例えば、これらの部材を他の材質として強度のある硬質のプラスチック材や木材であってもよい。
【００１９】
後述において説明するが、第１脚部材２１および第２脚部材２１’は支柱３の下端から上方に向けてボルトで連結固定されており、同様に特に図示しないが、支持杆９，１０は支柱３の上端から下方に向けてボルトで連結固定されたことで、フレーム構造の一部である前後の支持杆９，１０と、脚体である支柱３および前後の第１脚部材２１および第２脚部材２１’とが、側面視エ字状に一体で構成されている。また、連結フレーム１９，２０の左右端部には、ＡＢＳ樹脂材からなるカバー部材３４が各々取り付け可能になっている。
【００２０】
次に、第１脚部材２１および第２脚部材２１’について具体的に説明する。両脚部材２１，２１’は同一の構造の脚部材からなり、一方の第１脚部材２１を前方に配置して、他方の第２脚部材２１’を前方の第１脚部材に対して後方に１８０度で回動した前後対称方向に配置し、両脚部材２１，２１’を連結することによって、前後方向を向くベース脚５を構成している。なお、第１脚部材２１に各符号が付された部位に対応する第２脚部材２１’の各部位には、第１脚部材２１の符号に「’」を付すことで、第２脚部材２１’の説明を割愛する。
【００２１】
図３（ａ）に示されるように、第１脚部材２１は前後方向に向けて先端側の足先部２１ａから、支柱３が上部で取り付けられる接続部２３に向けて長手方向に成型されており、左右の両側端縁から垂下する逆凹字状の側壁２１ｃ，２１ｃが形成されている。第１脚部材２１下面２１ｄの足先部２１ａにはアジャスタ３３がボルト５５で螺合され固着されている。接続部２３の端面２３ａの左右位置の一方には長手方向に突出する嵌合片２４が設けられ、左右位置の他方には長手方向に凹設される嵌合溝２５が対で構成されており、図示しない第２脚部材２１’の接続部２３’に設けられた嵌合溝２５’と嵌合片２４’とで互いに嵌合可能な対称形状となっている。
【００２２】
図４（ｂ）、（Ｃ）に示されるように、嵌合片２４および嵌合溝２５には、嵌合面がそれぞれ下方に向かって広がるテーパ面２４ａおよびテーパ面２５ａが形成されており、嵌合片２４の背面側には下向きに開口した開口部２６が形成され、この嵌合片２４にはテーパ面２４ａからこのテーパ面２４ａと直行する開口部２６側方向に向けて連通するボルト用貫通孔２４ｂが設けられている。一方、嵌合溝２５のテーパ面２５ａには、このテーパ面２５ａと直行する背面側方向に向けてボルト孔２５ｂが形成されている。
【００２３】
尚、ボルト用貫通孔２４ｂには両脚部材２１，２１’を連結する第２のボルト５１（以下単にボルト５１という）を貫通させ、ボルト孔２５ｂはボルト５１と螺合可能になっている。また、開口部２６の大きさは、ボルト５１を回動操作可能なスペースを有している。
【００２４】
両側壁２１ｃ，２１ｃの左右幅方向の中央位置からは、前後方向の略全範囲に渡って足先部２１から接続部２３に向けて、リブ３０が下向きに垂設されており、第１脚部材２１の下面２１ｄよりも下方に向けて突出されている。このリブ３０の突出寸法は、足先部２１から接続部２３に向けて漸次大となるように垂設されており、接続部２３の嵌合片２４と嵌合溝２５の間の端面２３ａまで延伸されることで、端面２３ａと面一で一体に設けられたリブ端面３１が形成されている。この両側壁２１ｃ，２１ｃの内側からは、左右幅方向の中央に向けて挟持片２９，２９が長手方向に所定間隔を空けて複数延設されており、リブ３０の左右側面に固着され、第１脚部材２１の全体の強度が高められている。
【００２５】
図３（ｂ）に示されるように、第１脚部材２１の上面２１ｅは接続部２３の上部から足先部２１ａの方向に向けて下方に傾斜されており、この上面２１ｅの接続部２３側には床面６０に平行な支持面２８が形成されている。支持面２８には、図４（ｂ）にも示されるように、下面２１ｄ側の開口部２６に上下方向に貫通するボルト用貫通孔２８ａが形成され、同様に、図４（ｃ）に示されるように、下方に開口した開口部２７に上下方向に貫通するボルト用貫通孔２８ｂが形成され、後述のボルト５３が挿通可能になっている。
【００２６】
次いで、ベース脚５を構成する第１脚部材２１と第２脚部材２１’との連結過程について説明する。図４（ａ）に示されるように、第１脚部材２１および第２脚部材２１’の端部２３ａ，２３ａ’同士を対向させて、互いに前後方向で対向する嵌合片２４を嵌合溝２５’に、嵌合片２４’を嵌合溝２５に向かい合わせて配設する。
【００２７】
そこで、第１脚部材２１の嵌合片２４を第２脚部材２１’の嵌合溝２５’に向けて、第２脚部材２１’の嵌合片２４’を第１脚部材２１の嵌合溝２５に向けて嵌合していくと、一方の嵌合片２４のテーパ面２４ａが嵌合溝２５’のテーパ面２５ａ’に当接され、他方の嵌合片２４’のテーパ面２４ａ’が嵌合溝２５のテーパ面２５ａに沿って当接され、嵌合片２４，２４’のボルト用貫通孔２４ｂ，２４ｂ’と嵌合溝２５’，２５のボルト孔２５ｂ’、２５ｂが連通状態となるようにする。このとき、端面２３ａと端面２３ａ’およびリブ端面３１とリブ端面３１’とが互いに当接される。
【００２８】
次いで、図５および図６（ａ）に示されるように、嵌合片２４の背面側の近傍に形成された開口部２６からボルト用貫通孔２４ｂに向けて、締結手段であるボルト５１が挿通され、さらに、ボルト孔２５ｂ’に向けて螺合されていく。尚、ボルト５１の取り付け作業を容易かつ確実に行うため本実施例では六角レンチ５９を用いて作業が行われる。このように、開口部２６を形成したことで、嵌合片２４から嵌合溝２５’に向けてボルト５１を締結する際に、ボルト５１の回動操作が行い易い構成になっている。
【００２９】
そしてボルト５１が六角レンチ５９の回動操作により、ボルト用貫通孔２４ｂを介してボルト孔２５ｂ’に向けて螺合し締め込まれていくことで、嵌合片２４が嵌合溝２５’内に引き込まれ締結されるとともに、図５および図６（ｂ）に示されるように、ボルト５１が開口部２６’からボルト用貫通孔２４ｂ’を介してボルト孔２５ｂに向けて螺合し締め込まれていくことで、嵌合片２４’が嵌合溝２５内に引き込まれて締結される。嵌合溝２５’に嵌合片２４が嵌合され、嵌合溝２５に嵌合片２４’が嵌合されることで、一方の当接面（テーパ面２４ａとテーパ面２５ａ’）が他方の当接面（テーパ面２４ａ’とテーパ面２５ａ）とが側面視で相互にクロスした方向に引き込まれるので、嵌合片２４，２４’と嵌合溝２５’，２５との圧着が非常に強固なものとなる。尚、ベース脚５の前後端部を構成する足先部２１ａ，２１ａ’の設けられたアジャスタ３３，３３によって、左右の側壁２１ｃ，２１ｃ’および、その中央位置のリブ３０，３０’の下面は床面６０から若干離間された状態になっている。
【００３０】
図６（ａ）（ｂ）に示されるように、側面視でクロスしたボルト５１，５１のボルト頭部５１ａ，５１ａの受ける面であるテーパ面２６ａ，２６ａ’は、嵌合片２４，２４’および嵌合溝２５’２５のそれぞれに対面するテーパ面２４ａ，２５ａ’とテーパ面２４ａ’，２５ａ’に平行な面で形成されているため、ボルト５１，５１の螺合時に、各ボルト頭部５１ａ，５１ａを受けるテーパ面２６ａ，２６ａ’に無理な負荷を加えることなく、各ボルト５１，５１の回動操作をより円滑に行えると共に、嵌合片と嵌合溝とに強い圧着作用を与えることができる。
【００３１】
しかも、各ボルト５１，５１の締結後にボルト頭部５１ａ，５１ａは、それぞれの開口部２６，２６’内に収納されるので、両脚部材２１，２１’を床面６０に接地した際にボルト頭部５１ａ，５１ａが床面６０側に向けて突出されることはなく、床面６０に対して傷を生じさせることが未然に防止されている。
【００３２】
そして、第１脚部材２１と第２脚部材２１’の開口部２６，２７’，２７，２６’に形成されたボルト用貫通孔２８ａ，２８ｂ’，２８ｂ，２８ａ’に下方から上方に向けて４本のボルト５３を上方に向けて挿通させ、両脚部材２１，２１’の上部の支持面２８，２８’に支柱３の下端３ｃを当接載置して、この支柱３の下端部に上下方向に向けて形成されたボルト穴３ａ，３ｂ，３ａ，３ｂをボルト用貫通孔２８ａ，２８ｂ’，２８ｂ，２８ａ’と重なるように位置合わせをした後、六角レンチ５９の回動操作により、各ボルト５３をボルト穴３ａ，３ｂ，３ａ，３ｂに螺合することで、支柱３が両脚部材２１，２１’の各左右２箇所で直に締結され、支柱と両脚部材との連結強度を高めることができる。
【００３３】
しかも、各ボルト５３で両脚部材２１，２１’を支柱３に締結する際に、脚部材２１，２１’の下向きに開口された開口部２６，２７’，２７，２６’から支柱３に向けて、各ボルト５３をねじ込んで、これらボルト５３の締結後にボルト頭部５３ａを各開口部２６，２７’，２７，２６’内に収納することで、両脚部材２１，２１’を床面６０に接地した際にボルト頭部５３ａが床面６０側に向けて突出されることはなく、床面６０に傷を生じさせることが未然に防止される。
【００３４】
このように、各々が下方から打ち込まれるボルト５３によって、支柱３に対して直に締結されるので、例えばＬ字の取付金具等を別途用いることなく、支柱３と両脚部材２１，２１’の連結強度を高めることができ、天板２上方からの大きな荷重が加わった場合であっても、その荷重の力が支柱３を介して前後一対の両脚部材２１，２１’に分散されるので、支柱３を介して天板２を安定して支持可能な撓みにくいベース脚５の構造となる。
【００３５】
以上の説明により実施例では、ベース脚５を一つの支柱３に固着される前後一対の脚部材２１，２１’で構成したことで、支柱３上方の構造の大きさに合わせて、両脚部材２１，２１’の前後方向の長さを適宜変更、交換できるとともに、その施工が容易に行える。また、両脚部材２１，２１’の両接続部２３，２３’の構造が対称形であるので、位置決めがし易く、部品の共用化によるコストの低減も図れる。
【００３６】
さらに、嵌合した両接続部２３，２３’の嵌合片２４，２４’と嵌合溝２５’，２５とを特殊な連結部材を介在させることなく、嵌合片２４，２４’と嵌合溝２５’，２５とを、圧着する締結手段であるボルト５１，５１により締結するので、部品点数が少なくベース脚５の複雑化が防止されるとともに、両脚部材２１，２１’の圧着度を高めることができるので連結強度が高められ、天板２の上部から加わる荷重に対しても強い支持強度を備えた脚体４となる。
【００３７】
以上、本発明の実施例を図面により説明してきたが、具体的な構成はこれら実施例に限られるものではなく、本発明の要旨を逸脱しない範囲における変更や追加があっても本発明に含まれ、例えば上記実施例では、脚体４が天板２を支持するテーブルとして説明したが、テーブルに限らず机や、その他脚体４に支持されるキャビネット等の家具にも適用できる。
【００３８】
また、上記実施例では、嵌合片２４，２４’が下方部が突出するように構成した例で説明したが、当接面が逆向きになるように上方部を突出するようにしても良い。この場合ボルト５１は嵌合溝の方から挿入される。
【００３９】
また、上記実施例では、両脚部材２１，２１’のそれぞれの嵌合片２４，２４’と嵌合溝２５’，２５との対向面をテーパ面としたことで、互いに対向する嵌合片２４，２４’と嵌合溝２５’，２５との圧着が非常に強固なものとなる事から好ましいが、本発明はこれに限定されるものではなく、テーパ面を形成せずに嵌合片と嵌合溝を凹凸嵌合して、嵌合片と嵌合溝とをボルト等の締結手段で、両脚部材２１，２１’を連結してベース脚５を一体に構成するようにしても良い。
【図面の簡単な説明】
【００４０】
【図１】本発明の実施例における脚体を用いたテーブルの全体像を示す斜視図である。
【図２】テーブルの分解組立斜視図である。
【図３】（ａ）は、天板を支持するベース脚の一方の脚部材を示す底面側からの斜視図であり、（ｂ）は、脚部材の上面側からの斜視図である。
【図４】（ａ）は、前後の脚部材同士の係合前の状態を示す底面図であり、（ｂ）は、Ａ−Ａ線を示す側断面図であり、（ｃ）は、Ｂ−Ｂ線を示す側断面図である。
【図５】前後の脚部材同士をボルトで締結する連結過程を示す底面図である。
【図６】（ａ）は、前後の脚部材の連結と前後の脚部材と支柱をボルトで締結する状態を示す図５のＣ−Ｃ線の側断面図であり（ｂ）は、連結された前後の脚部材に支柱が連結された状態を示す図５のＤ−Ｄ線の側断面図である。
【符号の説明】
【００４１】
１                  テーブル
２                  天板
３                  支柱（脚体の一部）
３ａ、３ｂ          ボルト穴
３ｃ                下端
４                  脚体
５                  ベース脚（脚体の一部）
８                  支持フレーム
９、１０            前後の支持杆
１９、２０          連結フレーム
２１                第１脚部材（前方のベース脚）
２１’              第２脚部材（後方のベース脚）
２１ａ、２１ａ’    足先部
２１ｃ、２１ｃ’    側壁
２１ｄ、２１ｄ’    下面
２１ｅ、２１ｅ’    上面
２３、２３’        接続部（端部）
２３ａ、２３ａ’    端面
２４、２４’        嵌合片
２４ａ、２４ａ’    テーパ面
２４ｂ、２４ｂ’    ボルト用貫通孔
２５、２５’        嵌合溝
２５ａ、２５ａ’    テーパ面
２５ｂ、２５ｂ’    ボルト孔
２６、２６’        開口部
２６ａ、２６ａ’    テーパ面
２７、２７’        開口部
２８、２８’        支持面
２８ａ、２８ａ’    ボルト用貫通孔
２８ｂ、２８ｂ’    ボルト用貫通孔
２９、２９’        挟持片
３０、３０’        リブ
３１，３１’        リブ端面
３３                アジャスタ
３４                カバー部材
３５                連結杆
４０、４１          取付具
５１                ボルト（締結手段）
５１ａ              ボルト頭部
５３                ボルト
５３ａ              ボルト頭部
５５                ボルト
５９                六角レンチ
６０                床面
【図１】
0004800004.tif 000002
【図２】
0004800004.tif 000003
【図３】
0004800004.tif 000004
【図４】
0004800004.tif 000005
【図５】
0004800004.tif 000006
【図６】
0004800004.tif 000007